(57)【要約】【課題】急な降水時でも、極めて簡単な操作で迅速に布地製などのバッグ本体の上面および全周面を簡単且つ確実にカバーできるキャリーバッグ用防水カバーを提供する。【解決手段】防水性シートからなり、キャリーバッグ２０のバッグ本体２０ａの正面２１、背面２３、両側面２２、および上面２４を覆えるように全体が筒形状を呈するカバー本体２と、該カバー本体２の上端における幅方向の中央部に形成された横長状で且つ内側に伸縮式ハンドル３０挿通用の横開口部１１を有するネック部１０と、該ネック部１０の両側に位置する左右一対の肩部３と、上記カバー本体２の下端４における底開口部に沿って伸縮可能に内蔵された締め付け材５と、を含む、キャリーバッグ用防水カバー１。【選択図】  図３
0003209861.tif 000002
【実用新案登録請求の範囲】
【請求項１】
防水性シートからなり、キャリーバッグ(２０)のバッグ本体(２０ａ)の正面(２１)、背面(２３)、両側面(２２)、および上面(２４)を覆えるように全体が筒形状を呈するカバー本体(２)と、
上記カバー本体(２)の上端における幅方向の中央部に形成された横長状で且つ内側に伸縮式ハンドル(３０)挿通用の横開口部(１１)を有するネック(１０)部と、
上記ネック部(１０)の両側に位置する左右一対の肩部(３)と、
上記カバー本体(２)の下端(４)における底開口部に沿って伸縮可能に内蔵された締め付け材(５)と、を含む、
ことを特徴とするキャリーバッグ用防水カバー(１)。
【請求項２】
前記ネック部(１０)の中央部付近から前記カバー本体(２)の正面(２ａ)に沿って、少なくとも該正面(２ａ)の上半部を開閉する縦開口部(２ｋ)および該縦開口部(２ｋ)を開閉するファスナー(６)を有している、
ことを特徴とする請求項１に記載のキャリーバッグ用防水カバー(１)。
【請求項３】
前記ネック部(１０)は、前記横開口部(１１)の両端側を除いた該ネック部(１０)の前側縁(１０ａ)と後側縁(１０ｂ)とを重複可能に保持する弾性環(１３)と、該弾性環(１３)に係止するボタン(１２)とを、上記横開口部(１１)を挟んで対向して設けている、
ことを特徴とする請求項１または２に記載のキャリーバッグ用防水カバー(１)。
【請求項４】
前記ネック部(１０)には、前記横開口部(１１)の両端側を除いた該ネック部(１０)の前側縁(１０ａ)の上方を覆い且つ後側縁(１０ｂ)に基端部が取り付けられた雨蓋(１０ｃ)と、該雨蓋(１０ｃ)の先端部を前側縁(１０ａ)に固定するホック(１５，１６)または面状係止テープと、が取り付けられている、
ことを特徴とする請求項１または２に記載のキャリーバッグ用防水カバー(１)。
【請求項５】
前記カバー本体(２)の正面(２ａ)における前記縦開口部(２ｋ)、または、前記正面(２ａ)に配置された小物収納用ポケット(９)の開口部には、かかる開口部の長手方向に沿ってフリル(４０，４１)が形成されている、
ことを特徴とする請求項２乃至４の何れか一項に記載のキャリーバッグ用防水カバー(１)。
【考案の詳細な説明】
【技術分野】
【０００１】
本考案は、比較的軽量な素材からなるキャリーバッグのバッグ本体を被覆するためのキャリーバッグ用防水カバーに関する。
【背景技術】
【０００２】
キャリーバッグは、全体が直方体形状を呈するバッグ本体の底面にキャスターを取り付け、且つ前記バッグ本体の背面から上方に延びた伸縮式のハンドルを有し、少ない労力で荷物を搬送し易いため、近年広く活用されている。特に、バッグ本体を形成する素材が布地製のものは、金属製のバッグのものに比べ、一層少ない労力で荷物を搬送できるので、高齢者や女性層により多く利用されている。
ところで、軽量な布地製のバッグ（本体）を有するキャリーバッグを雨水の濡れから防ぐため、不使用時にはコンパクトに折り畳め、且つ使用時には、全体が直方体形状に展開される本体カバーと、該本体カバーの上部にハンドルを差し通すスリーブ部とを設けたバッグカバーが提案されている（特許文献１参照）。
【０００３】
前記バッグカバーでは、本体カバーの底面が空いており、且つ外部に露出しているため、バッグの側面の下部が雨水に晒されるおそれがある。そのため、本体カバーの下側に沿って、伸縮可能な腹巻き状のサイドカバーを巻き付けるようにしている。しかし、該サイドカバーと上記バッグカバーとを併用するには、利用者による操作が煩雑となるため、急な降水時には対応が極めて困難であった。
更に、前記バッグの側面の下部を雨水から遮るため、下面部をバッグの底部で互いにオーバーラップさせ、且つホックなどで接合可能としたキャリーバッグ防水カバーも提案されている（特許文献２参照）。しかし、前記防水カバーでバッグの外側を覆った後、該バッグの底部で上記オーバーラップを形成し、且つホックで接合して固定することも、操作が煩雑で急な降水時には対応が困難であった。
【先行技術文献】
【特許文献】
【０００４】
【特許文献１】特開２０１５−８０５２７号公報 (第１〜９頁、図１〜１５)
【特許文献２】登録実用新案第３１１２５９７号公報(第１〜８頁、図１〜６)
【考案の概要】
【考案が解決しようとする課題】
【０００５】
本考案は、背景技術で説明した問題点を解決し、例えば、急な降水時であっても、極めて簡単な操作で迅速に布地製などのバッグ本体の上面および全周面を確実にカバーできるキャリーバッグ用防水カバーを提供する、ことを課題とする。
【課題を解決するための手段および考案の効果】
【０００６】
本考案は、前記課題を解決するため、全体が筒形状を呈するカバー本体の上端に伸縮ハンドルが挿通するネック部を設け、且つ前記カバー本体の下端（裾）に沿って、バッグ本体の底面側の開口部を囲むように伸縮可能な締め付け材を内蔵する、ことに着想して成されたものである。
側ち、本考案のキャリーバッグ用防水カバー（請求項１）は、防水性シートからなり、キャリーバッグのバッグ本体の正面、背面、両側面、および上面を覆えるように全体が筒形状を呈するカバー本体と、該カバー本体の上端における幅方向の中央部に形成された横長状で且つ内側に伸縮式ハンドル挿通用の横開口部を有するネック部と、該ネック部の両側に位置する左右一対の肩部と、上記カバー本体の下端における底開口部に沿って伸縮可能に内蔵された締め付け材と、を含む、ことを特徴とする。
【０００７】
これによれば、予め、折り畳んでバッグ本体内などに保管していた前記キャリーバッグ用防水カバーを取り出して拡げ、そのネック部の横開口部にハンドルを挿通した後、カバー本体の下端（裾）側を両手で下側に引き下げ、かかる下端をキャリーバッグ本体の底面の周辺側に引っ張ることにより、ハンドル付近を除いたバッグ本体の上面および全周面（正面、背面、および両側面）を、極めて簡単な操作で迅速且つ確実にカバーできる。従って、急な降水時でも、キャリーバッグ本体の雨水による濡れを容易且つ迅速に防ぐことができる（以下、効果（１）という）。
【０００８】
尚、前記防水性シートには、防水性能を奏する素材や加工材からなり、例えば、ポリエステルのシートで且つ外側面に撥水処理を施したものが用いられる。
また、前記カバー本体におけるネック部の両側には、バッグ本体における上部の両角部を覆う左右一対の前記肩部が位置し、かかる肩部とカバー本体の下端に内蔵した締め付け材とにより、前記バッグ本体の全周面を被覆可能としている。
更に、前記伸縮可能な締め付け材には、例えば、帯状または棒状の天然ゴムないし合成ゴムを内部に有する細長い弾性材（通称、ゴム紐）が用いられる。
加えて、カバー本体の正面や両側面には、適宜ポケットを縫い付けても良い。
【０００９】
また、本考案には、前記ネック部の中央部付近から前記カバー本体の正面に沿って、少なくとも該正面の上半部を開閉する縦開口部および該縦開口部を開閉するファスナーを有している、キャリーバッグ用防水カバー（請求項２）も含まれる。
これによれば、例えば、雨天時の屋外における階段を登り降りする場合、前記防水カバーでバッグ本体をカバーした状態で、前記ファスナーを前記カバー本体の上面から正面の上部に向けて開き、形成された開口部から露出したバッグ本体の上面に位置する持ち手を片手で掴むことにより、上記防水カバーを含むキャリーバッグ全体を持ち上げて安全に階段を登り降りすることができる（以下、効果（２）という）。
また、前記ファスナーを前記カバー本体の正面における垂直方向の中間付近まで、引き下げることによって、前記バッグ本体の正面に縫い付けられたポケット内のメモなどの薄物を、あるいは、該ポケットのファスナーを容易に開いて前記薄物を、雨天時でも容易に取り出すことができる（以下、効果（３）という）。
尚、前記ファスナーは、カバー本体の下端付近まで延びていても良い。
【００１０】
更に、本考案には、前記ネック部は、前記横開口部の両端側を除いた該ネック部の前側縁と後側縁とを重複可能に保持する弾性環と、該弾性環に係止するボタンとを上記横開口部を挟んで対向して設けている、キャリーバッグ用防水カバー（請求項３）も含まれる。
これによれば、前記弾性環を引っ張って、その先端側を前記ボタンに架けることにより、キャリーバッグの伸縮式ハンドルにおける左右一対のポスト片間に位置する前記ネック部の横開口部を、極めて簡単且つ迅速に閉塞して、カバー本体における内側への雨水の浸入を確実に防止できる（以下、効果（４）という）。
尚、前記弾性環は、例えば、輪ゴムを内蔵した弾性紐や弾性帯が例示される。
【００１１】
また、本考案には、前記ネック部には、前記横開口部の両端側を除いた該横開口部の前側縁の上方を覆い且つ後側縁に基端部が取り付けられた雨蓋と、該雨蓋の先端部を前側縁に固定するホックまたは面状係止テープとが取り付けられている、キャリーバッグ用防水カバー（請求項４）も含まれる。
これによれば、前記雨蓋で前記ネック部の横開口部を覆うと共に、かかる雨蓋先端部と前記ネック部の前側縁とを、ホックまたは面状係止テープによって固定することにより、前記効果（４）を一層確実に得ることができる。
尚、上記面状係止テープは、例えば、マジックテープ（登録商標）である。
また、上記雨蓋は、例えば、前記同様の防水性シートなどからなる。
【００１２】
加えて、本考案には、前記カバー本体の正面における前記縦開口部、または、前記正面に配置された小物収納用ポケットの開口部には、かかる開口部の長手方向に沿ってフリルが形成されている、キャリーバッグ用防水カバー（請求項５）も含まれる。
これによれば、降水時における本防水カバーをキャリーバッグ本体に被覆する際に、はやる心が「かわいらしい」上記フリルにより癒やされるので、前記被覆作業を比較的迅速且つ正確に行うことに寄与できる（以下、効果（５）という）。
前記フリルは、前記縦開口部の両側に沿って縫い付けられたり、あるいは、前記小物収納用ポケットの開口部の外周側に沿って縫い付けられる。
【００１３】
尚、本考案には、前記カバー本体における正面、両側面、および背面のうち、少なくとも１つの面には、小物収納用ポケット、傘収納用ポケット、あるいは、飲料ボトル収納用ポケットの少なくとも１つが配置されている、キャリーバッグ用防水カバーも含まれ得る。
これらによる場合、降水時はもとより、小雨や霧雨時などにおいて、前記カバー本体の正面や側面や背面の何れかに縫い付けたポケットから小物を取り出せ得る。あるいは、前記カバー本体の正面や側面の何れかに縫い付けた傘収納用ポケット、または、飲料ボトル収納用ポケットから適宜傘を出し入れしたり、飲料ボトルを取り出して喉を潤すことが自由に行うことも可能となる。
尚、傘収納用ポケットは、折り畳み式傘に対しては、その中間部分を貫通させる丈が短いＵ字形状のリング帯が用いられ、一方、通常の傘に対しては、丈の比較的長い半円筒形状で、且つ傘本体の貫通が可能な形態とされる。
【図面の簡単な説明】
【００１４】
【図１】（Ａ）は本考案による一形態のキャリーバッグ用防水カバーを示す正面図、（Ｂ）はその斜め上方からの視角による斜視図。
【図２】上記防水カバーをキャリーバッグに装着する直前の状態を示す概略図。
【図３】（Ａ）は上記防水カバーをキャリーバッグに装着する途中の状態を示す概略図、（Ｂ）は防水カバーをキャリーバッグに装着した後を示す概略図。
【図４】（Ａ）は上記装着後におけるキャリーバッグの底部付近を示す概略図、（Ｂ），（Ｃ）はネック部の横開口部を塞ぐ互い異なる形態を示す概略図。
【考案を実施するための形態】
【００１５】
以下において、本考案を実施するための形態について説明する。
図１（Ａ）は、本考案による一形態のキャリーバッグ用防水カバー１を示す正面図、図１（Ｂ）は、その斜め上方からの視角による斜視図である。
上記キャリーバッグ用防水カバー（以下、単に本防水カバーと言う）１は、図１（Ａ），（Ｂ）に示すように、全体が筒形状を呈するカバー本体２と、その上端における横（幅）方向の中央側に位置するネック部１０と、該ネック部１０の両側に位置する左右一対の肩部３と、上記カバー本体２の下端（裾）４における底開口部に沿って円環状に内蔵された弾性を有する締め付け材５とを備えている。
上記本防水カバー１を構成する防水性シートは、例えば、ポリエステル製の柔軟なシートからなり、且つその外側面に撥水処理を施した樹脂シートを縫製加工したものである。但し、これに限らず、各種のものを適用することができる。
【００１６】
前記カバー本体２は、使用時には、比較的平坦な正面２ａおよび背面２ｃと、これらの間に位置するほぼ曲面状の両側面２ｂとを備えている。但し、折り畳んだ際には、該カバー本体２の全体が薄いシート形状体になる。
また、前記ネック部１０は、使用時には、全体が横向きに細長い長円錐形状または長楕円錐形状を呈し、内側に横開口部１１を有している。係る横開口部１１は、後述するキャリーバッグのハンドルを挿通させる。該ネック部１０の前縁側１０ａの中央部には、ボタン１２が掛けてあり、上記横開口部１１を挟んだ後縁側１０ｂの中央部には、輪ゴムなどを内蔵した弾性環１３が縫い付けてある。
尚、上記横開口部１１を囲むように、上記ネック部１０の内側に沿ってゴム紐１０ｃのような弾性材を縫い付けておくことが望ましい。
【００１７】
更に、前記カバー本体２の正面２ａには、前記ネック部１０の前縁側１０ａの中央部付近（上止）から前記下端４付近（下止）に至る縦向きのファスナー６が取り付けられている。該ファスナー６は、正面２ａに設けた垂直な縦開口部２ｋの両側に沿って個別に縫い付けたテープ（図示せず）に支持された多数のエレメント８と、該エレメント８を左右交互に噛み合わせたり、あるいは左右に離脱させるスライダー７とからなる。上記縦開口部２ｋおよび左右の各エレメント８の両側には、これら沿って左右一対で且つ比較的大きめのフリル４０が縦向きに縫い付けられている。該フリル４０も、前記同様の防水性シートからなる。
【００１８】
また、図１（Ａ），（Ｂ）に示すように、前記カバー本体２の正面２ａの比較的下方寄りには、上記ファスナー６を挟んだ左右一対の小物収納用ポケット９が対称に設けられている。該小物収納用ポケット９の開口部には、該開口部の長手方向に沿って比較的小さなフリル４１が水平状に縫い付けられている。尚、該ポケット９は、図示のように、オープン式に限らず、ファスナーにより開口部が開閉可能な開閉式であっても良い。
加えて、前記カバー本体２における右側の側面２ｂには、例えば、図示しない飲料ボトルを収納できる縦長のポケット１８が設けられている。尚、該飲料ボトル収納用ポケット１８の底部をなくし、丈寸法を適宜の長さにすることで、内側に進入した雨水の排水を可能としたり、あるいは、折り畳み傘あるいは通常の傘を上方から差し通して支持するポケットとして使用しても良い。
【００１９】
図２は、前記本防水カバー１を、キャリーバッグ２０に装着する直前の状態を示す概略図である。尚、以下の図面では、前記フリル４０，４１を省略する。
上記キャリーバッグ２０は、図２に示すように、バッグ本体２０ａと、伸縮式のハンドル３０とを備えている。前記バッグ本体２０ａは、全体がやや扁平な直方体形状を呈し、何れも長方形状の正面２１、両側面２２、背面２３、上面２４、および底面２７により構成され、これらは比較的強度の高い布地からなっている。
【００２０】
上記バッグ本体２０ａの正面２１は、上辺および左右の側辺からなる３辺に沿って、スライド可能な左右一対（２組）のファスナーＦにより、開閉する蓋を兼ねており、バッグ本体２０ａ内に対する荷物の出し入れを容易にしている。また、該正面２１の外側面には、手帳などの薄物を収納できるファスナーｆ付きのポケット２６が設けてある。更に、上面２４の中央部には、柔軟で且つ伸縮可能な持ち手２５が取り付けられている。加えて、前記底面２７の前記ハンドル３０寄りの角部ごとには、左右一対の車輪（キャスター）２８が個別に取り付けられ、残りの角部ごとには、支持脚２９が個別に固定されている。
尚、上記車輪２８は、回転軸が一定方向の方向固定車輪に限らず、方向自在車輪としても良い。また、上記残りの角部ごとにも、上記支持脚２９に替えて、上記車輪２８または方向自在車輪を取り付けても良い。
【００２１】
前記ハンドル３０は、図２に示すように、前記バッグ本体２０ａの背面２３側から垂直に立設し且つ伸縮可能な左右一対のポスト片３２と、該ポスト片３２ごとから収納可能に立設する左右一対の縦片、およびこれらの上端間を接続する水平片からなり、全体が下向きのコ字形状を呈するハンドル部３１と、からなる。
尚、上記一対のポスト片３２を収納する鞘管（図示せず）は、前記バッグ本体２０ａの背面２３の内側（バッグ本体２０ａの内側）に固定されていても良く、あるいは、該背面２３の外側に沿って固定されていても良い。
【００２２】
以下において、前記本防水カバー１の使用方法について説明する。
使用者が、前記キャリーバッグ２０を前記ハンドル３０を片手で牽引しながら、屋外を歩行していた際に、急な降水に遭遇したと仮定する。
例えば、予め、前記バッグ本体２０ａ内などに適宜折り畳んで保管してあった前記本防水カバー１を取り出し、図２中のカーブした矢印で示すように、本防水カバー１のカバー本体２を縦方向に沿って蛇腹状に縮めた形態とした後、その下端４側から上記キャリーバッグ２０のハンドル３０およびバッグ本体２０ａを、前記下端４に囲まれた底開口部からカバー本体２の内側に取り込むように操作する。この際、図示のように、前記ファスナー６のスライダー７は、カバー本体２の正面２ａの中程に位置させておくと、該カバー本体２を横向きに広げ易くなる。
【００２３】
引き続いて、図３（Ａ）に示すように、ハンドル３０を前記ネック部１０の横開口部１１から上方側に挿通させる。この際、ネック部１０の内側にゴム紐１０ｃが内設されていると、上記横開口部１１を最小面積に簡単にすることができる。
更に、図３（Ａ）中の灰色矢印で例示するように、カバー本体２の両側面２ｂの下端４付近をそれぞれ両手で掴んで、前記締め付け材５をその弾性に抗して左右方向に広げながら、同図中の下向きの白色矢印で示すように、上記下端４をバッグ本体２０ａの底面２７側に素速く引き下げて行く。そして、上記下端４がバッグ本体２０ａの底面２７の下側に達した時点で、両手から該下端４を離す。
その結果、図３（Ｂ）に示すように、カバー本体２により、バッグ本体２０ａの正面２１、両側面２２、および背面２３の全周面が覆われると共に、両肩部３により、バッグ本体２０の上面２４の大半が覆われる。この際、バッグ本体２０は、その底面２７の四辺付近に沿って収縮した締め付け材５と、左右一対の肩部３とによって、上下方向に引っ張られるカバー本体２により覆われている。
【００２４】
しかも、図４（Ａ）に示すように、カバー本体２の前記締め付け材５を内蔵する下端４は、バッグ本体２０ａの底面２７における周辺付近で停止しているので、左右一対ずつの前記車輪２８や支持脚２９に巻き付くことがない。尚、図４（Ａ）中の符号３３は、前記ポスト片３２とハンドル部３１の下部とを収納する鞘管である。
そして、図４（Ｂ）に示すように、ハンドル３０における左右一対のポスト片３２が貫通する前記ネック部１０において、その後側縁１０ｂの弾性環１３を指先で前側縁１０ａ寄りに引っ張り、該弾性環１３の先端部をボタン１２に引っ掛けることにより、後側縁１０ｂを前側縁１０ａの上にオーバーラップさせる。その結果、図示のように、上記一対のポスト片３２の間に位置していた前記横開口部１１のほぼ全領域を外部から遮蔽することができる。
【００２５】
あるいは、図４（Ｃ）に示すように、前記ネック部１０の後側縁１０ｂに平面視が長方形状の雨蓋１０ｄを予め縫い付けておき、同図中の矢印で示すように、該雨蓋１０ｄを前側縁１０ａの上にオーバーラップさせた後、かかる雨蓋１０ｄの先端側の中央部に配置した雌型ホック１６と、前側縁１０ａの中央部に配置した雄型ホック１５とを結合させる形態としても良い。かかる形態によっても、図示のように、前記横開口部１１のほぼ全域を外部から遮蔽することができる。
尚、雄型ホック１５と雌型ホック１６の位置を上記と逆にしたり、あるいはこれらに替えて、面状係止テープ（マジックテープ、登録商標）を用いても良い。
以上のような本防水カバー１によれば、前述した効果（１）〜（５）を、極めて簡単な操作によって確実に奏することができる。
【００２６】
本考案は、以上において説明した形態に限定されるものではない。
例えば、前記本防水カバー１を構成する防水性シートは、前記ポリエステルに限らず、ポリエチレン、ポリプロピレン、ポリアミド（ナイロン）、あるいは、ポリオレフィンなどの樹脂シートとしたり、更には、これらの外側面に対し撥水処理を施したものでも良い。
また、前記ファスナー６（７，８）および縦開口部２ｋは、少なくとも前記カバー本体２の正面２ａにおける上半部にのみ設けた形態としても良い。
更に、前記ポケット９は、カバー本体２における側面２ｂの一方または双方に配置したり、背面２ｃの上側に配置しても良い。
【００２７】
また、前記弾性環１３とボタン１２とは、これらの２組を前記ネック部１０に併設しても良いし、１つの弾性環１３と２つのボタン１２とを併用しても良い。
更に、前記キャリーバッグ２０は、前記バッグ本体２０ａの底面２７の四隅付近に、左右一対ずつの方向固定車輪と方向自在車輪とを設けていても良い。
加えて、カバー本体２の正面２ａにおける前記ファスナー６の両側や、前記小物収納用ポケット９の開口部以外の位置にも、各種のフリルを縫い付けても良い。
【産業上の利用可能性】
【００２８】
本考案によれば、急な降水時であっても、極めて簡単な操作で迅速に布地製などのバッグ本体の上面および全周面を確実にカバーできるキャリーバッグ用防水カバーを確実に提供するこができる。
【符号の説明】
【００２９】
１……………キャリーバッグ用防水カバー
２……………カバー本体
２ａ…………カバー本体の正面
２ｂ…………カバー本体の側面
２ｃ…………カバー本体の背面
２ｋ…………縦開口部
３……………肩部
４……………下端（裾）
５……………締め付け材
６……………ファスナー
９……………小物収納用ポケット
１０…………ネック部
１０ａ………ネック部の前側縁
１０ｂ………ネック部の後側縁
１１…………横開口部
１２…………ボタン
１３…………弾性環
１５，１６…ホック
２０…………キャリーバッグ
２０ａ………バッグ本体
２１…………バッグ本体の正面
２２…………バッグ本体の側面
２３…………バッグ本体の背面
２４…………バッグ本体の上面
３０…………ハンドル
４０，４１…フリル
【図１】
0003209861.tif 000003
【図２】
0003209861.tif 000004
【図３】
0003209861.tif 000005
【図４】
0003209861.tif 000006
【手続補正書】
【提出日】平成29年2月15日(2017.2.15)
【手続補正１】
【補正対象書類名】実用新案登録請求の範囲
【補正対象項目名】全文
【補正方法】変更
【補正の内容】
【実用新案登録請求の範囲】
【請求項１】
防水性シートからなり、キャリーバッグ(２０)のバッグ本体(２０ａ)の正面(２１)、背面(２３)、両側面(２２)、および上面(２４)を覆えるように全体が筒形状を呈するカバー本体(２)と、
上記カバー本体(２)の上端における幅方向の中央部に形成された横長状で且つ内側に伸縮式ハンドル(３０)挿通用の横開口部(１１)を有するネック(１０)部と、
上記ネック部(１０)の両側に位置する左右一対の肩部(３)と、
上記カバー本体(２)の下端(４)における底開口部に沿って伸縮可能に内蔵された締め付け材(５)と、を含む、
ことを特徴とするキャリーバッグ用防水カバー(１)。
【請求項２】
前記ネック部(１０)の中央部付近から前記カバー本体(２)の正面(２ａ)に沿って、少なくとも該正面(２ａ)の上半部を開閉する縦開口部(２ｋ)および該縦開口部(２ｋ)を開閉するファスナー(６)を有している、
ことを特徴とする請求項１に記載のキャリーバッグ用防水カバー(１)。
【請求項３】
前記ネック部(１０)は、前記横開口部(１１)の両端側を除いた該ネック部(１０)の前側縁(１０ａ)と後側縁(１０ｂ)とを重複可能に保持する弾性環(１３)と、該弾性環(１３)に係止するボタン(１２)とを、上記横開口部(１１)を挟んで対向して設けている、
ことを特徴とする請求項１または２に記載のキャリーバッグ用防水カバー(１)。
【請求項４】
前記ネック部(１０)には、前記横開口部(１１)の両端側を除いた該ネック部(１０)の前側縁(１０ａ)の上方を覆い且つ後側縁(１０ｂ)に基端部が取り付けられた雨蓋(１０ｃ)と、該雨蓋(１０ｃ)の先端部を前側縁(１０ａ)に固定するホック(１５，１６)または面状係止テープと、が取り付けられている、
ことを特徴とする請求項１または２に記載のキャリーバッグ用防水カバー(１)。
【請求項５】
前記カバー本体(２)の正面(２ａ)における前記縦開口部(２ｋ)、または、前記正面(２ａ)に配置された小物収納用ポケット(９)の開口部には、かかる開口部の長手方向に沿ってフリル(４０，４１)が形成されている、
ことを特徴とする請求項２に記載のキャリーバッグ用防水カバー(１)。